(57)【特許請求の範囲】
【請求項１】
電源コードによって商用電源より電源の供給を受けて動作する機器本体と，
前記電源コードを纏めて結束するための結束具と，
前記電源コードを前記結束具によって結束した状態で前記機器本体を収納する，少なくとも外装箱からなる梱包部材と，
を備えた電気機器において，
前記結束具は，
前記電源コードを纏めて挟着保持する挟持部と，
該挟持部の一方に備えられ前記電源コードを纏めた状態で前記挟持部に対して挿抜自在とする開口部と，
この結束具を前記梱包部材に形成された係合固着部に掛止するための掛止部と，
を備え，前記電気機器を前記梱包部材に収納した状態で，前記電源コードが前記開口部から引出し可能なように前記掛止部と前記係合固着部とが係合すると共に，前記結束具が前記梱包部材に固着するように構成されたことを特徴とした電気機器。
【請求項２】
電源コードによって商用電源より電源の供給を受けて動作する機器本体と，
前記電源コードを纏めて結束するための結束具と，
前記電源コードを前記結束具によって結束した状態で前記機器本体を収納する，少なくとも外装箱からなる梱包部材と，
を備えた電気機器において，
前記結束具は，長尺状の結束帯にて構成され，
前記結束帯の一方の自由端部には，前記機器本体の外周面及び前記梱包部材の何れかに固着される第１の固着手段が備えられ，
前記結束具には，前記結束帯の他方の自由端部と前記結束帯の中間部位とを第２の固着手段で固着することにより，前記電源コードを纏めて結束する結束部が形成され，
しかも，前記結束部において，前記第２の固着手段にて固着される前記結束帯の他方の自由端部と中間部位との接続部は，前記結束部による結束を解除可能で，且つ，該結束を解除した後の再利用ができないように構成されていることを特徴とした電気機器。
【請求項３】
前記第２の固着手段の固着力は，前記第１の固着手段の固着力より弱いことを特徴とした請求項２に記載の電気機器。
【発明の詳細な説明】
【技術分野】
【０００１】
本発明は，電源コードを有した各種の電気機器において，その電源コードが邪魔にならないように纏めて保持する結束作業や，機器の使用時における結束解除作業を容易にする結束具を備えた電気機器に関する。
【背景技術】
【０００２】
従来，電気機器の電源コードは，長いコードが製造工程上で邪魔になったり，輸送中に絡まったり，解けたりしてしまわないように，ビニールタイ等の結束具で結束されており，これによって製造作業の効率化が図られるばかりでなく，製品の美観を損なわないようにした上で，梱包されている。
この種の電源コードの結束方法として，例えば，製品本体に一体成形のガイド保持部材及び固定部を設け，部品点数削減，及び取付作業性，保持強度を向上したことを特徴とする電源コード結束バンド取付構造が提案されている。（例えば，特許文献１参照）
また，他の実施例として，電源コードを保持する保持部と，当該保持部を電気器具本体に着脱自在に係止する係止手段とを有することを特徴とする，電気器具の電源コードの保持具が提案されている。（例えば，特許文献２参照）
【０００３】
これらの結束構造は，製品の生産効率や製品の美観の向上を目的としているものであるが，その構成上，製品の使用時に，配線後に長すぎて余った電源コードに対して，再び纏めて結束するために使用することができる。
即ち，特許文献１の実施例では，結束バンドは結束バンド取付構造から容易に取り外しができるので，当該製品の使用時において，結束バンドを製品本体に形成された結束バンド取付構造から取り外し，一旦，結束バンドを解除してからＡＣコンセントに接続し，配線が終わったら，再び結束バンドを使って，長すぎて余った電源コードを再結束して適度な長さになるように再使用することができる。
また，特許文献２の実施例では，配線が終わった後から，長すぎて余った電源コードを再び纏め，保持部に挟着すればよく，その利用はすこぶる簡単にできる構成となっている。
【０００４】
【特許文献１】実開平０４−７７２８２号公報
【特許文献２】特開２０００−３６９３５３号公報
【発明の開示】
【発明が解決しようとする課題】
【０００５】
しかしながら，一般的に電源コードは，結んだり，束ねたりして使用することは問題があり，製品の説明書等には，結んだり，束ねたりしない旨の注意を示し，製品の実使用において誤った使い方がなされないようにしている。
ところが，従来例に示されるようの結束方法では，結束具の再使用が可能であり，結束具の再使用によって，製品の使用時に，誤った使い方（例えば，電源コードを圧迫した状態で結束する）をされてしまうといった問題があった。
本発明は，こうした問題に鑑みなされたものであり，梱包部材に機器本体を収納した状態で，電源コードを所定位置に固定及び保持することができる結束具を備え，しかも，その結束具により，電源コードを，結んだり，束ねたりしたままで使用することができない電気機器を提供すること，を目的とする。
【課題を解決するための手段】
【０００６】
かかる目的を達成するためになされた請求項１に記載の発明は，
電源コードによって商用電源より電源の供給を受けて動作する機器本体と，
前記電源コードを纏めて結束するための結束具と，
前記電源コードを前記結束具によって結束した状態で前記機器本体を収納する，少なくとも外装箱からなる梱包部材と，
を備えた電気機器において，
前記結束具は，
前記電源コードを纏めて挟着保持する挟持部と，
該挟持部の一方に備えられ前記電源コードを纏めた状態で前記挟持部に対して挿抜自在とする開口部と，
この結束具を前記梱包部材に形成された係合固着部に掛止するための掛止部と，
を備え，前記電気機器を前記梱包部材に収納した状態で，前記電源コードが前記開口部から引出し可能なように前記掛止部と前記係合固着部とが係合すると共に，前記結束具が前記梱包部材に固着するように構成されたことを特徴とする。
【０００７】
また，請求項２に記載の発明は，
電源コードによって商用電源より電源の供給を受けて動作する機器本体と，
前記電源コードを纏めて結束するための結束具と，
前記電源コードを前記結束具によって結束した状態で前記機器本体を収納する，少なくとも外装箱からなる梱包部材と，
を備えた電気機器において，
前記結束具は，長尺状の結束帯にて構成され，
前記結束帯の一方の自由端部には，前記機器本体の外周面及び前記梱包部材の何れかに固着される第１の固着手段が備えられ，
前記結束具には，前記結束帯の他方の自由端部と前記結束帯の中間部位とを第２の固着手段で固着することにより，前記電源コードを纏めて結束する結束部が形成され，
しかも，前記結束部において，前記第２の固着手段にて固着される前記結束帯の他方の自由端部と中間部位との接続部は，前記結束部による結束を解除可能で，且つ，該結束を解除した後の再利用ができないように構成されていることを特徴とする。
【０００８】
また次に，請求項３に記載の発明は，請求項２に記載の電気機器において，前記第２の固着手段の固着力は，前記第１の固着手段の固着力より弱いことを特徴とする。
【発明の効果】
【００１０】
請求項１に記載の電気機器によれば，結束具は，適宜に纏めた電源コードを開口部から押し込む簡単な装着方法によって，電源コードを挟持部において簡単に装着して保持でき，しかも，結束具がコンパクトにできていることから，製品の組立てから検査・調整及び梱包に至る各工程において，電源コードを結束具で結束した状態のままで使用することができる。更に，結束具が簡単な構成であっても，電源コードが抜け出てバラけてしまうことがなく，生産の邪魔になることもないので，生産効率の低減を招かない。
また，電源コードの結束具として，従来から一般的に使用されているビニールタイのように，所定の長さに切断する手間も掛からないし，ビニールタイを捩る手間も掛からないといった利便性を有する。また，ビニールタイでは，切断面を有した端部を捻って結束するので，その先端部が，引っ掛ったりすることで，危険であったり，製品に傷がついたりする恐れがあったが，本発明においては，フレキシブルで軟質な部材で構成することによって安全で，人や製品に優しい，極めて有用性の高い製品を提供できる。
【００１１】
また，機器本体の梱包時に，結束具は，梱包部材の所定に位置に位置決めされて収納できると共に，梱包部材に固着して収納できるように構成されていることから，製品の移送等などにおいて振動が加わっても，結束具の位置がずれたり，外れたりすることがなく，結束具は電源コードの結束状態を維持して保持するばかりでなく，電源コードを梱包部材内部の所定位置に安定して収納することができる。
【００１２】
更に，ユーザーサイドにおいて，この電気機器が使われる状況を考えてみると，結束具は梱包部材に収納された時点で，確りと梱包部材に固着される構造に構成されていることから，製品の使用時に，機器本体を梱包部材から取出すだけで，電源コードは結束具の開口部から容易に引出すことができ，結束が自動的に解除され，ユーザーは結束具を解除する手間が省けるのである。また，梱包部材には結束具が固着されて残されるので，製品を再梱包するときなど，格別に結束具を用意することなく梱包ができる。
また，本発明の電気機器は，機器本体を梱包部材から取り出すだけで，電源コードが結束具から外れることから，結束具により電源コードが圧迫された状態で使用されるのを防止することができる。従って，メーカーサイドにおいては，製品の説明書等で，電源コードを結んだり，束ねたりして使用しない旨の注意を示し，製品の実使用において誤った使い方がなされないように記載するだけで，電気機器における電源コードの誤使用を防止できることになる。
【００１３】
次に，請求項２の電気機器によれば，結束具は，適宜に纏めた電源コードに巻きつけるだけの簡単な装着方法によって，電源コードをその結束部において簡単に保持でき，しかも，この結束具が存在することで，製品の組立てから検査・調整及び梱包に至る各工程において，電源コードを結束具で結束した状態のままで使用することができる。また，簡単な構成でも電源コードがバラけてしまうことがなく，生産の邪魔になることがないので，生産効率の低減を招かない。
また，一般的なビニールタイは，長尺のものを適宜な長さに切断したものであり，その結束は，切断面を有した端部を捻って結束するので，引っ掛ったりすることで，危険であったり，製品に傷がついたりする恐れがあったが，本発明においては，フレキシブルで軟質な部材で構成することによって安全で，人や製品に優しい極めて有用性の高い製品を提供できる。
【００１４】
更に，本発明の電気機器によれば，機器本体の梱包時に，結束具は，機器本体，若しくは，梱包部材の任意の位置に固着されて収納できるため，製品の移送時などにおいて振動が加わっても，結束具の位置がずれたり，外れたりすることがなく，結束具は電源コードの結束状態を維持して保持するばかりでなく，電源コードを梱包部材内部の所定位置に安定して収納することができる。
【００１５】
また，ユーザーサイドにおいて，機器本体が使われる状況を考えてみると，結束具は，機器本体若しくは梱包部材に対し，第１の固着手段を介して，確りと固着されていることから，製品の使用時には，電源コードの結束部を構成する第２の固着手段（換言すれば接続部）による接続を解除することで，結束具による電源コードの結束を解除できる。
そして，本発明の結束具は，一度結束を解除した後は再利用することができないことから，機器本体の使用時に，使用者が，結束具による電源コードの結束を解除するだけで，結束具により電源コードが圧迫された状態で使用されるのを防止できる。
従って，メーカーサイドにおいては，製品の説明書等で，電源コードを結んだり，束ねたりして使用しない旨の注意を示し，製品の実使用において誤った使い方がなされないように記載しておくだけで，電気機器における電源コードの誤使用を防止できることになる。
よって，本発明によれば，安全に使用していただくための配慮の行き届いた，優れた利便性を有する製品を提供できる。
【００１６】
次に，請求項３に記載の電気機器によれば，第２の固着手段の固着力が，第１の固着手段の固着力より弱いので，固着力の強い第１の固着手段を介して，結束具が確りと機器本体若しくは梱包部材に固着され，固着力の弱い第２の固着手段によって固着された接続部の結束の解除を，より一層容易にすることができる。
【発明を実施するための最良の形態】
【００２０】
以下に，本発明を具体化した実施形態の例を，図面を基に詳細に説明する。
図１は第１実施形態の電気機器の梱包状態を示す説明図であり，（ａ）は上面図，（ｂ）は図１（ａ）におけるＡ−Ａ線断面図，（ｃ）は第１実施形態における結束具と梱包部材との係止状態を説明するための図であり,図１（ａ）におけるＢ−Ｂ線断面図である。図２は第１実施形態における結束具を示す斜視図である。図３は梱包部材の説明図であり，（ａ）は上面図であり，（ｂ）は図３（ａ）におけるＣ−Ｃ線断面図，（ｃ）はＤ−Ｄ線断面図である。図４（ａ）から（ｅ）は第１実施形態における結束具と梱包部材の係止の手順を示す説明図である。図５は第２実施形態における結束具の説明図であり，（ａ）は斜視図であり，（ｂ）は側面図，（ｃ）は正面図である。図６は第２実施形態の電気機器の梱包状態を示す説明図であり，（ａ）は上面図，（ｂ）は正面図，（ｃ）は第２実施形態における結束具と梱包部材との係止状態を説明するための図であり図６（ａ）におけるＥ−Ｅ線断面図，（ｄ）は完成図である。図７は第３実施形態における結束具を示す説明図であり，（ａ）は結束部の斜視図であり，（ｂ）は完成状態の斜視図である。図８は第３実施形態の電気機器の説明図であり，（ａ）は機器本体の上面図，（ｂ）は梱包状態を示す上面図，（ｃ）は第３実施形態における結束具と梱包部材との係止状態を説明するための図であり図８（ｂ）におけるＦ−Ｆ線断面図，（ｄ）は結束具と梱包部材との異なる係止状態を説明するための図である。図９は参考例の結束具を説明する図であり，（ａ）は正面図と側面図，（ｂ）は組付けた状態の斜視図である。図１０（ａ），（ｂ）は参考例の結束具を使って，電源コードを結束する手順を説明する図である。
【実施例１】
【００２１】
第１実施形態の電気機器１について，図１（ａ）を基に説明する。
図１（ａ）は電気機器１の梱包状態を示す説明図であり，上面から見た図である。図１（ａ）において，２は機器本体であって，電源コード３によって商用電源より電源の供給を受けて動作するように構成されているものである。尚，以下の説明では，機器本体２の具体例として，テレビ受信用機器であるテレビ受信用ブースターを用いて説明する。
機器本体２に備えられた電源コード３は，結束具１０によって，適宜に纏められて結束されている。そして，テレビ受信用ブースター１は，結束された電源コードと共に，図の如く梱包部材５に収納されている。この梱包部材５は，例えば，ダンボールを用いて組立て形成されたものであり，図１（ａ）における前面側を開口するように構成された箱体６と，この開口部の開口端の一辺と一体に形成され，前記開口部を閉塞するために開閉自在に形成された蓋体７とからなる。
【００２２】
ここで，第１実施形態の電気機器１における結束具１０について，図２を用いて詳しく説明する。図２は結束具１０の斜視図である。この図において結束具１０は，電源コード３を挟み込むための挟持片１２を備えた，電源コード３を保持するための挟持部１１と，該挟着部１１の一方に備えられ，前記電源コード３を纏めた状態で前記挟着部１１に対して挿抜自在とする開口部１４と，この結束具１０を取付け対象に掛止して取付けるための掛止部１５からなる。
前記挟持片１２の先端部には，開口部１４の開口の幅を制限する凸部１２ａが形成されており，挟持片１２と共に挟持部１１を構成する，挟持片１２と対向する壁面１３に形成された凸部１３ａと共に，開口部１４からの電源コード３の挿抜を制限している。つまり，電源コード３の装着時には，電源コード３を開口部１４から挟持部１１に向かって押し付けると，挟持片１２が外側に押出されるように開くことによって，電源コード３は挟持部１１に収納されて保持される。電源コード３が開口部１４を通過したなら，挟持片１２はその付勢力によって電源コード３を挟持する。これによって，電源コート３の装着後は，装着された電源コード３が開口部１４から飛び出すのが制限されると共に，結束されるように構成されているのである。
本実施形態における結束具１０は，例えば，弾性を有した合成樹脂材等を使って，金型などによって成形したものであるが，適宜な弾性と電源コードを保持するための適度な強度を持った材料なら紙等で形成しても良い。
【００２３】
掛止部１５は，壁面１３の先端部と一体に，該先端部を外側に折り返すように形成された基体１６と，該基体の折り返し方向に直交する方向の一方側に向かって形成された長尺の掛止爪１７と，該掛止爪１７の突出方向とは反対方向に突出するように形成された掛止片１８と，掛止爪１７の上部において，該掛止爪１７の軸線に平行に，前記基体１７に中心部に向かって形成された切欠き１９とから形成されている。
そして，機器本体２は，電源コード３が結束具１０によって図のように結束された後に，図１の如く梱包部材５に収納される。
【００２４】
前記梱包部材５の構成は図３に示されている。図３において（ａ）は梱包部材５の上面から見た図であり，（ｂ）は図３（ａ）におけるＣ−Ｃ線から見た断面図であり，（ｃ）は図３（ａ）におけるＤ−Ｄ線から見た断面図である。
本発明の実施例では，梱包部材５は，略４角形上の底面６ａに，該底面６ａを囲むように両側壁６ｂ，６ｂと前面壁６ｃと，図には示されていない後面壁を備えさせ，上面を開口するように構成した箱体６と，該開口部を閉塞するために開閉自在に，一方の側壁６ｂに一体に形成された蓋体７とからなる。更に本発明の実施例における梱包部材５は，この前面壁６ｃの先端部に，図に良く示されるように，折返し片６ｄが一体に形成されている。この該折返し片６ｄは，図３（ｃ）に示される矢印ＲからＲ'方向に折返し，前記前面壁６ｃの内側と僅かに隙間４を有して添わすようにして，例えば両側壁６ｂ，６ｂと周知の方法で係合するようにして固定されている。そして，前記前面壁６ｃと前記折返し片６ｄとの連結部分には，図３において６ｅで示される長方形状の貫通孔が形成されている。この貫通孔６ｅを備えることによって，前記折返し片６ｄを折り返した状態で，箱体６の前面壁６ｂ側の開口端に凹部８が形成される。本発明の実施例では，この凹部８と前記隙間４が，前記結束具１０に形成された掛止部１５を係合し，前記結束具１０を梱包部材５に固着するためのものであり，請求項に記載の係合固着部である。
【００２５】
ここで前記結束具１０を前記梱包部材５の係合固着部に係合する手順を，図４を用いて説明する。尚，この図では，説明を簡略化するために，機器本体２と電源コード３の存在は省略してある。
先ず図４（ａ），（ｂ）に示されるように，結束具１０を矢印２から２'方向に回転させながら矢印１から１'方向に差し込みつつ，結束具１０の掛止爪１７を，貫通孔６ｅから前面壁６ｃと折返し片６ｄとの間に形成されている隙間４に向かって差し込みつつ，前記貫通孔６ｅの一方の端部が，結束具１０の切欠き１９に挿入されるようにしながら装着していく。
更に，図４（ｃ）に示されるように，結束具１０の掛止片１８が，貫通孔６ｅの他方の端部側から，前面壁６ｃと折返し片６ｄとの間に形成されている隙間４に完全に収納されるまで押し込む。そして，前記掛止爪１７と掛止片１８が隙間４に完全に収まったなら，結束具１０を矢印３方向にスライドさせてから，図４（ｄ）に示されるように，結束具１０を矢印３方向に押し込む。
すると図４（ｅ）に良く示されるように，結束具１０の掛止部１５の基体１６が，梱包部材５に形成された凹部８に完全に嵌め込まれ，図における左右方向の位置決めがなされると共に，上方向には掛止部１５が梱包部材５（係合固着部）に対して容易には抜け難くなるように係合し，結束具１の梱包部材に対する取付が完了する。
即ち本実施形態では，結束具１０で結束された電源コード３を備えた機器本体２を梱包部材５に収納したときに，前記結束具１０は，前記電源コード３が前記開口部１４から引出し可能なように前記掛止部１５と前記係合固着部とが係合することによって，前記結束具１０が前記梱包部材５に固着できるように構成されている。
【００２６】
このように，結束具１０が梱包部材５に固着された梱包状態を図１（ａ）から（ｃ）に示す。図１において（ａ）は電気機器１の梱包状態を示す説明図であり，上面から見た図であり，図１（ｂ）は（ａ）におけるＡ−Ａ線から見た断面図，図１（ｃ）は（ａ）におけるｂ−ｂ線からみた断面図である。
即ち，本発明の実施例に係る電気機器１によれば，結束具１０は適宜に纏めた電源コード３を開口部１４から押し込む簡単な装着方法によって，電源コード３を挟持部１１において装着して保持でき，しかも，結束具１０がコンパクトにできていることから，製品の組立てから検査・調整及び梱包に至る各工程において，電源コード３を結束具１０で結束した状態のままで使用することができる。更に，結束具が簡単な構成であっても，電源コード３が抜け出てバラけてしまうことがなく，生産の邪魔になることもないので，生産効率の低減を招かない。また，電源コード３の結束具として，従来から一般的に使用されているビニールタイのように，所定の長さに切断する手間も掛からないし，ビニールタイを捩る手間も掛からないといった利便性を有する。また，ビニールタイでは，切断面を有した端部を捻って結束するので，その先端部が，引っ掛ったりすることで，危険であったり，製品に傷がついたりする恐れがあったが，本発明においては，フレキシブルで軟質な部材で構成することによって安全で，人や製品に優しい，極めて有用性の高い製品を提供できる。
【００２７】
また，機器本体２の梱包時に，結束具１０は，梱包部材５の所定に位置に位置決めされて収納できると共に，梱包部材５に固着して収納できるように構成されており，しかも，結束具の掛止部１５は梱包部材５に形成される凹部８に完全に嵌め込まれ，箱体６の開口部より突出することがないため，開口部を蓋体７で閉塞しても，結束具１０が蓋体７の閉塞を邪魔にすることがない。
また，蓋体７で箱体６の開口部を閉塞した後は，該蓋体７が，結束具１０の押さえ具としての作用を有することになり，製品の移送等などにおいて振動が加わっても，結束具１０の位置がずれたり，外れたりすることがなく，結束具１０は電源コード３の結束状態を維持して保持するばかりでなく，電源コード３を梱包部材５内部の所定位置に安定して収納することができる。
【００２８】
更に，ユーザーサイドにおいて，この電気機器１が使われる状況を考えてみると，結束具１０は梱包部材５に収納された時点で固着されていることから，製品の使用時に，機器本体３を梱包部材５から取出すだけで，電源コード３は結束具１０の開口部１４から容易に引出すことができ，結束が自動的に解除され，ユーザーは結束具１０を解除する手間が省けるのである。また，梱包部材５には結束具１０が固着されて残されるので，製品を再梱包するときなど，格別に結束具を用意することなく梱包ができる。
また，メーカーサイドにおいては，製品の説明書等で，電源コード３を結んだり，束ねたりして使用しない旨の注意を示し，製品の実使用において誤った使い方がなされないように記載するだけでなく，機器本体２を取出すだけで，電源コード３が結束具１０から容易に外れるように構成したことによって，結束具によって電源コードを圧迫した状態のような，誤使用のない製品を提供できるといった優れた利便性のある製品を提供できる。
【実施例２】
【００２９】
次に第２実施形態の電気機器１を，図５及び図６を参照して説明する。
第２実施形態と第１実施形態の異なる点は，第２実施形態における結束具２０と梱包部材５との係合の具体的な構成の違いである。尚，以下の説明では，第１実施形態の電気機器１と同様の構成要素については同一符号を付与し，詳細な説明は省略する。
【００３０】
先ず，図５を用いて第２実施形態における結束具について説明する。
図５において（ａ）は結束具の斜視図であり，（ｂ）は側面図，（ｃ）は正面図である。図５における２０が第２実施形態における結束具である。
この図において結束具２０は，電源コード３を挟み込むための挟持片２２を備えた，電源コード３を保持するための挟持部２１と，該挟持部２１の一方に備えられ，前記電源コード３を纏めた状態で前記挟着部２１に対して挿抜自在とする開口部２４と，この結束具２０を取付け対象に掛止して取付けるための掛止部２５からなる。
前記挟持片２２の先端部は開口部２５の開口の幅を制限する凸部２２ａが形成されており，挟持片２２と共に挟持部２１を構成する，挟持片２２と対向する面２３に形成された凸部２３ａと共に，開口部２４からの電源コード３の挿抜を制限している。つまり，電源コード３の装着時には，電源コード３を開口部２４から挟持部２１に向かって押し付けると，挟持片２２が外側に押出されるように開くことによって，電源コード３は挟持部２１に収納されて保持される。電源コード３が開口部２４を通過したなら，挟持片２２はその付勢力によって電源コード３を挟持する。これによって，電源コート３の装着後は，装着された電源コード３が結束されると共に，開口部２４から飛び出すのが制限されように構成されているのである。
第２実施形態の結束具２０は，例えば，弾性を有した合成樹脂材等を使って，金型などによって成形したものであるが，適宜な弾性と電源コードを保持するための適度な強度を持った材料なら紙等で形成しても良い。
【００３１】
掛止部２５は，壁面２３の先端部と一体に，該先端部を外側に折り返すように形成され，壁面２３寄りに薄肉部２６を備えることで折り曲げ自在となるように形成された基体２７と，該基体２７の前記薄肉部２６より外側部分である押圧片２７ａの，図５（ｂ）における下面から下方に垂直に突設した圧入ピン２８と，面２３に形成された前記圧入ピンの先端部を圧入固定するための圧入孔２９とからなる。つまり，前記薄肉部２６を回転軸として，前記押圧片２７ａ側を，面２３に向かって（図５（ｂ）の矢印rからr'方向）折り返すと，前記圧入ピン２８と壁面２３に形成された圧入孔２９とは対向配置する。圧入ピン２８は，その先端部から軸方向に先割れしていると共に，その先端部には鍔部を備えており，前記圧入孔２９への圧入を容易にしていると共に，圧入後は，押圧片２７ａは壁面２３に固定されるように構成されている。
【００３２】
図６は，第２実施形態の機器本体２を梱包した状態を示す説明図であり，（ａ）は上面図，（ｂ）は正面図，（ｃ）は図（ａ）におけるＥ−Ｅ線から見た断面図，（ｄ）は完成図である。
結束具２０で結束された電源コード３は，結束具２０が箱体６の前面壁６ｃの上端部に形成された凹部８に位置するように収納される。この時点で，押圧片２７ａは図６（ａ）に示されるように開いたままで圧入されていない。電源コード３の収納が完了したなら，押圧片２７ａを折り返す。
図６（ｂ）に良く示されているように，箱体６の前面壁６ｃ側には，該前面壁６ｃから，図には示されていない，前面壁６ｃと一体で形成され，該前面壁に添うように折り返された，前記折返し片６ｄを貫通するように設けられた貫通孔９が形成されている。
この貫通孔９は，結束具２０を前記凹部８に載置したときに，結束具２０の壁面２３に形成された圧入孔２９と対向する位置に形成されており，前記圧入ピン２８が挿通自在となる大きさに形成されている。
こうして，電源コード３が収納され，結束具２０が所定位置に装着されたなら，図６（ｃ）から（ｄ）に示される如く，壁面２３と折返し片２７ａとで，前面壁６Ｃ，折返し片６ｄを挟み込むよう折り返す。
そして，圧入ピン２８を，貫通孔９を介して圧入孔２９に圧入固着することで，結束具２０は箱体６（つまり，梱包部材５）に固着される。よって，第２実施形態の電気機器においても，前記第１実施形態と同様の効果が得られる。
【実施例３】
【００３３】
次に第３実施形態の電気機器１を，図７及び図８を参照して説明する。
第３実施形態と第１実施形態及び第２実施形態との異なる点は，結束具がブレーカブルな構造であるように構成されていることである。ここでいうブレーカブルとは，ハサミ等の工具を用いなくとも，指先等で結束具の結束解除が可能であり，且つ，結束が解除された後は，結束具としての再利用が不可能な構造であることを言う。尚，以下の説明では，上記第１実施形態及び第２実施形態の電気機器１と同様の構成要素については同一符号を付与し，詳細な説明は省略する。
【００３４】
図７において（ａ）は結束具の斜視図であり，（ｂ）は結束具の完成後の斜視図である。そして，図７における３０が，第３実施形態の結束具である。
図７（ａ）において，結束具３０は，長尺のフレキシブルな軟質材（例えば，樹脂フィルム，紙など）からなる結束帯３３の，両自由端部３１ａ，３２ａの先端部には，夫々相互に異なる面側に，例えば両面テープのような接着が可能な第１の固着手段３１及び第２の固着手段３２を備えるようにして構成されている。
これらの固着手段３１と３２は，後述する理由によって，例えば両面テープの面積を変えたり，接着力の異なる両面テープを用いたりして，その固着力に差を設けるのが望ましい。本実施形態では，第１の固着手段３１は固着力を強く，第２の固着手段３２は第１の固着手段３１の固着力より弱く，しかも，固着手段３２が容易に剥がせたり，切取ったりできるような固着手段で構成してある。尚，固着手段を両面テープで構成した例を示したが，特に実施形態に限定されるものではなく，他の方法であっても良い。
【００３５】
この結束具３０は，図７（ｂ）に示されているように，結束帯３３の一方側の自由端部３２ａ側に備えた第２の固着手段３２を，図には示されていない電源コードを束ねるように折り返し，結束帯３３の自由端部３２ａを結束帯３３の中間部位に固着して接続部３４を設けることで，略円形状の結束部３５を形成して電源コードを結束する。そして，結束部３５より延出されている自由端部３１ａは，前記第１の固着手段３１とでもって結束具３０の固定片３６となる。
【００３６】
次に，図８を用いて，第３実施形態における結束具３０の取扱について説明する。
図８において（ａ）は機器本体２に備えた電源コード３を結束具３０で結束した状態を示す上面図，（ｂ）は梱包した状態を示す上面図，（ｃ）は図８（ｂ）におけるＦ−Ｆ線から見た断面図であって，結束具３０の固定方法を説明するための図，（ｄ）は結束具３０の固着方法の他の実施形態を示す断面図である。
上記のように構成された結束具３０で結束された電源コード３は，図８（ａ）のようになる。そして，このような状態の機器本体２を梱包部材５の箱体６に収納する。
機器本体２の箱体６への収納が完了したなら，結束バンドの固定片３６の先端部に備えられた第１の固着手段３１（本実施形態では，両面テープ）でもって，箱体の前面壁６ｃの内面側に折り返された折返し片６ｄに固着する。図８（ｃ）にこのときの状態を説明する断面図を示す。
また，結束具３０の固着方法として，図８（ｄ）に示されるように，固定片３６は前面壁６ｃの内面に第１の固着手段３１でもって固着し，固着が完了したなら，折返し片６ｄを前面壁６ｃに沿うようにして折り返して，前記固定片３６を箱体で挟み込むようにすれば，更に確りと固着できる。
尚，本実施形態では，結束具３０の固定片３６を梱包部材５に固着する例を示したが，機器本体２に固着しても良い。また，固定片３６に，電源コードの使用時には，結束バンドを取外して使用することの注意書きを表示するようにしても良い。
【００３７】
以上，第３実施形態の電気機器１によれば，結束具３０は適宜に纏めた電源コード３に巻きつけるだけの簡単な装着方法によって，電源コード３をその結束部３５において簡単に保持でき，しかも，この結束具３０が存在することで，製品の組立てから検査・調整及び梱包に至る各工程において，電源コード３を結束具３０で結束した状態のままで使用することができ，簡単な構成でも電源コード３がバラけてしまうことがなく，生産の邪魔になることがなく，生産効率の低減を招かない。
また，一般的なビニールタイは，長尺のものを適宜な長さに切断したものであり，その結束は，切断面を有した端部を捻って結束するので，引っ掛ったりすることで，危険であったり，製品に傷がついたりする恐れがあったが，本実施形態においては，フレキシブルで軟質な部材で構成することによって安全で，人や製品に優しい極めて有用性の高い製品を提供できる。
【００３８】
更に，本実施形態の電気機器１によれば，機器本体２の梱包時に，結束具３０は，機器本体２，若しくは，梱包部材５の任意の位置に固着されて収納できるため，製品の移送等などにおいて振動が加わっても，結束具３０の位置がずれたり，外れたりすることがなく，結束具３０は電源コード３の結束状態を維持して保持するばかりでなく，電源コード３を梱包部材５内部の所定位置に安定して収納することができる。
【００３９】
更に，ユーザーサイドにおいて，この機器本体２が使われる状況を考えてみると，結束具３０は，機器本体２，若しくは，梱包部材５に対して第１の固着手段３１で確りと固着されていることから，製品の使用時に，機器本体２を梱包部材５から取出せば，例えば，結束具３０が梱包部材５に固着されているときは，電源コード３は，結束具３０が箱体６に固着されたまま，結束具３０の接続部３４を剥がしながら引出されることで結束が解除され，ユーザーは，工具などを用いなくても，結束具３０を解除でき，手間が省けるのである。結束具３０が機器本体２に固着されているときも同様である。即ち電源コード３をＡＣコンセントに接続する操作によって，必然的に結束具３０の解除ができるように構成されているのである。
更に，第１の固着手段３１と第２も固着手段３２に固着力の違いをもたせることで，固着力の強い第１の固着手段３１が，確りと機器本体２若しくは梱包部材５に固着されているように構成することによって，固着力の弱い第２の固着手段３２によって固着された接続部３４の結束の解除を一層容易とすることができる。
また，メーカーサイドにおいては，製品の説明書等で，圧迫した状態で，電源コード３を結んだり，束ねたりして使用しない旨の注意を示し，製品の実使用において誤った使い方がなされないように記載するだけでなく，機器本体２を取出すだけで，電源コード３が結束具３０から容易に外れるように構成したことによって，誤使用のない製品を提供できる。
また，本実施形態の結束具３０は，一度結束を解除した後は再利用できないため，安全に使用していただくための配慮の行き届いた，優れた利便性を有する製品を提供できる。
【００４０】
尚，本発明は上記実施形態に限定されるものではなく，次に例示するように，本発明の趣旨を逸脱しない範囲で各部の構成を適宜に変更して実施することも可能である。
上記実施形態では，結束具を梱包部材５の箱体６に固着する方法を示したが，梱包部材を構成するものなら，緩衝材等の付属品であっても良く，上記実施形態に限定されるものではない。
上記実施形態では，結束具を梱包部材５の箱体６に固着する方法を示したが，機器本体２に固着するように構成しても良い。
また，上記実施形態では電気機器の例としてテレビ受信用ブースターの例を示したが，特にこの実施形態に限定されるものではなく，電源コードを備えた機器全般に利用できることは言うまでもない。
【実施例４】
【００４１】
次に本発明の参考例となる電気機器１について，図９から図１０を参照して説明する。
この参考例と第１実施形態〜第３実施形態との異なる点は，結束具が電源コードをルーズに結束するように構成されていることである。ここでいうルーズとは，結束具は電源コードとの固定手段を有し，該固定手段を結合した状態では，纏めた電源コードを相互に圧迫しないように結束部でルーズに結束し，固定手段の結合を解除した状態では，纏めた電源コードの結束がさらに緩んだ状態で結束部で結束できるようにルーズ結束部を備えた構造であることを言う。
また，この参考例における固着手段は，ＡＣプラグと結束具に備えた保護キャップであり，以下に示す参考例の説明では，ＡＣプラグに保護キャップを被せた状態が「固定手段の結合」，ＡＣプラグに対して保護キャップを被せていない状態を「固定手段の解除」とする。尚，以下の説明では，説明を簡単にするために，機器本体２や梱包部材５の存在は省略した。
【００４２】
図９において４０が結束具であり，（ａ）に正面図と側面図が示され，（ｂ）には組立てが完了した結束具４０の斜視図が示されている。
本参考例の結束具４０は，適度に弾性を有した，例えば細幅の樹脂材からなる長尺の結束帯４１と，該結束帯４１の一方の端部に一体に形成されたリング状部４３と，結束帯４１の他方の端部に一体に形成された，前記電源コードのＡＣプラグ３ａに着脱自在に固着するように被せて，該ＡＣプラグ３ａの一部若しくは全てを保護するための保護キャップ４２を備えるように構成されている。
前記リング状部４３の内径は，少なくとも，前記リング状部４３の内側を前記保護キャップ４２が挿抜自在となる充分な大きさを有するように形成されている。そして，図９（ｂ）に示すように，前記保護キャップ４２を前記リング状部４３に挿通した状態で，ルーズ結束部４５を構成する。前記結束帯４１の長さは，前記電源コード３をルーズ結束部４５において結束した状態で，前記保護キャップ４２をＡＣプラグ３ａに着脱自在に固着するように被せることができるような長さに形成すればよい。
【００４３】
図１０にこの結束具４０で電源コード３を結束する手順を示す。この図において図１０（ａ）はＡＣプラグ３ａに対して保護キャップ４２を被せていない状態（即ち，「固定手段の解除」の状態）を示しており，電源コード３はルーズ結束部４５においてルーズに結束されており，電源コード３は相互に圧迫されることなく，より一層バラけるように結束されている。結束具の材料をさらに付勢力の強い材料を用いれば，その付勢力によって，さらに結束はルーズになる。場合によっては結束が解除される。また，図１０（ｂ）はＡＣプラグ３ａに対して保護キャップ４２を被せた状態（即ち，「固定手段の結合」の状態）を示しており，電源コード３はルーズ結束部４５によって相互に圧迫されることなく結束された状態を保持する。
【００４４】
以上，参考例の結束具４０によれば，結束具４０は簡単な構成であっても，電源コード３を適宜な間隔で，圧迫することなくルーズな結束によって保持でき，しかも，この結束具４０が存在することで，製品の組立てから検査・調整及び梱包に至る各工程において，電源コード３を結束具４０で結束した状態のままで使用することができ，電源コード３がバラけてしまうことがなく，生産の邪魔になることがないので，生産効率の低減を招かない。
さらに結束具４０がフレキシブルにできていることから邪魔になることはない。また，保護キャップ４２は，電気的特性の確認のときだけ外せばよく，一般的には，保護キャップ４２がＡＣプラグ３ａを保護するように被せてあるので，生産工程上において，ＡＣプラグが製品を傷つけることを防止できる。
またこの結束具４０は，ビニールタイのように切断面を有しないので，引っ掛ったり製品に傷をつけたりすることがなく安全である。
【００４５】
また，機器本体２の梱包時に，結束具４０は，ＡＣプラグを保護するので，製品の移送等などにおいて振動が加わっても，結束具４０は電源コード３の結束状態を維持して保持する。
さらに，保護キャップの存在によって，機器本体２に傷を着けることがないばかりでなくＡＣプラグ３ａ自体を傷めないようにすることができる。
【００４６】
更に，ユーザーサイドにおいて，この機器本体２が使われる状況を考えてみると，製品の使用時には，必ず保護キャップ４２をＡＣプラグ３ａから外す作業，即ち「固定手段の解除」が必要で，この操作によって，さらに結束がルーズになるので，結束具４０の解除が容易にできる。
また，万一，この結束具４０で結束したままＡＣコンセントに接続したばあいであっても，電源コード３は圧迫されることなく，適宜にバラけた状態でルーズ結束部４５によってルーズに結束されることになるので，より安全に使用できる。
また，メーカーサイドにおいては，製品の説明書等で，電源コード３を結んだり，束ねたりして使用しない旨の注意を示し，製品の実使用において誤った使い方がなされないように記載するだけでなく，必ずＡＣコード３ａから保護キャップを外さないとＡＣコンセントに接続できない構成になっていることを利用して，結束具４０自体の解除が簡単にできる製品を提供できる。また，例え，結束具４０で結束したままでで使ったとしても，より安全に使用できる製品の提供ができる。
【図面の簡単な説明】
【００４７】
【図１】第１実施形態の電気機器の梱包状態を示す説明図であり，（ａ）は上面図，（ｂ）は（ａ）におけるＡ−Ａ線断面図，（ｃ）は結束具と梱包部材との係止状態を説明するための図であり，（ａ）におけるＢ−Ｂ線断面図である。
【図２】第１実施形態の結束具を示す斜視図である。
【図３】梱包部材の説明図であり，（ａ）は上面図であり，（ｂ）は（ａ）におけるＣ−Ｃ線断面図，（ｃ）はＤ−Ｄ線断面図である。
【図４】（ａ）から（ｅ）は第１実施形態における結束具と梱包部材の係止の手順を示す説明図である。
【図５】第２実施形態における結束具の説明図であり，（ａ）は斜視図であり，（ｂ）は側面図，（ｃ）は正面図である。
【図６】第２実施形態の電気機器の梱包状態を示す説明図であり，（ａ）は上面図，（ｂ）は正面図，（ｃ）は結束具と梱包部材との係止状態を説明するための図であり図６（ａ）におけるＥ−Ｅ線断面図，（ｄ）は完成図である。
【図７】第３実施形態における結束具を示す説明図であり，（ａ）は結束部の斜視図であり，（ｂ）は完成状態の斜視図である。
【図８】第３実施形態の電気機器の説明図であり，（ａ）は機器本体の上面図，（ｂ）は梱包状態を示す上面図，（ｃ）は結束具と梱包部材との係止状態を説明するための図であり，（ｂ）におけるＦ−Ｆ線断面図，（ｄ）は結束具と梱包部材との異なる係止状態を説明するための図である。
【図９】参考例の結束具を説明する図であり，（ａ）は正面図と側面図，（ｂ）は組付けた状態の斜視図である。
【図１０】（ａ），（ｂ）は参考例における結束具を使って，電源コードを結束する手順を説明する図である。
【符号の説明】
【００４８】
１…電気機器，２…機器本体，３…電源コード，３ａ…ＡＣプラグ，４…隙間，５…梱包部材，６…箱体，６ａ…底面，６ｂ…側面，６ｃ…前面壁，６ｄ…折返し片，６ｅ…貫通孔，７…蓋体，８…凹部，９…貫通孔，１０…第１実施形態の結束具，１１…挟持部，１２…挟持片，１２ａ…凸部，１３…壁面，１３ａ…凸部，１４…開口部，１５…掛止部，１６…基体，１７…掛止爪，１８…掛止片，１９…切欠き，２０…第２実施形態の結束具，２１…挟持部，２２…挟持片，２２ａ…凸部，２３…壁面，２３ａ…凸部，２４…開口部，２５…掛止部，２６…薄肉部，２７…基体，２７ａ…押圧片，２８…圧入ピン，２９…圧入孔，３０…第３実施形態の結束具，３１…結束帯，３２…第１の固着手段，３３…第２の固着手段，３４…接続部，３５…結束部，３６…固定片，４０…参考例の結束具，４１…結束帯，４２…保護キャップ，４３…リング状部，４５…ルーズ結束部。
【図１】
0005107764.tif 000002
【図２】
0005107764.tif 000003
【図３】
0005107764.tif 000004
【図４】
0005107764.tif 000005
【図５】
0005107764.tif 000006
【図６】
0005107764.tif 000007
【図７】
0005107764.tif 000008
【図８】
0005107764.tif 000009
【図９】
0005107764.tif 000010
【図１０】
0005107764.tif 000011